(57)【要約】      （修正有）【課題】本体ユニットと、本体ユニットの左右両側に取り付けられ水平位置から下方へ回動するファンユニットとからなる空気調和機において、ファンユニットの回動状態にかかわらず本体ユニットとファンユニットが一体感のある意匠を実現する空気調和機を提供する。【解決手段】ファンユニット４０は、側面４０ａに吸込口４３を備えるとともに前面にファンユニット４０が水平位置にあるとき前面パネル２０と同一面上に位置する吹出口４７を備え、ファンユニット４０の吹出口４７の上端部は、ファンユニット４０が回動するとき回転軸と同心円の軌跡を描くものである。【選択図】図１
2017026256.tif 000002
【特許請求の範囲】
【請求項１】
横長の直方体形状で前面に前面パネルを備えた本体ユニットと、前記本体ユニットの左右両側の少なくとも一方に取り付けられ、前記左右両側に交差する仮想の回転軸回りで水平位置から下方へ回動可能なファンユニットを有する空気調和機であって、
前記ファンユニットは、側面に吸込口を備えるとともに前面に前記ファンユニットが水平位置にあるとき前記前面パネルと同一面上に位置する吹出口を備え、前記ファンユニットの前記吹出口の上端部は、前記ファンユニットが回動するとき前記回転軸と同心円の軌跡を描くことを特徴とする空気調和機。
【請求項２】
前記本体ユニットは、前記ファンユニットが水平位置にあるとき前記本体ユニットの前面と前記ファンユニットの前記吸込口の少なくとも一部を覆う吸込パネルを備えることを特徴とする請求項１に記載の空気調和機。
【発明の詳細な説明】
【技術分野】
【０００１】
本発明は空気調和機の形状に関する。
【背景技術】
【０００２】
従来例の空気調和機として、図６に示す本体ユニット９０と、本体ユニット９０の左右両側に取り付けられ上下に回動し室内空気を吸い込んで当該室内空気を吹き出す１対のファンユニット９１とからなる空気調和機９がある。この空気調和機９は、図６（Ａ）に示すように、運転停止時はファンユニット９１の吹出口９２が正面に向かって露出することで、フラットな前面部９３を構成している本体ユニット９０との間に一体感がなく、美観のある意匠とは言い難い。
【０００３】
また運転時はファンユニット９１が下方に回動すると図６（Ｂ）に示すように、ファンユニット９１の吹出口９２を有する先端部が本体ユニット９０より前方に突出するとともに、本体ユニット９０の側面部９０ａの一部とファンユニット９１の側面部９１ａの一部が露出することで、空気調和機９の外観が凹凸のあるものとなり美観のある意匠とは言い難いものとなる。（特許文献１参照）
【先行技術文献】
【特許文献】
【０００４】
【特許文献１】特開２０１４-１４２０９５号公報
【発明の概要】
【発明が解決しようとする課題】
【０００５】
本発明の課題は、本体ユニットと、本体ユニットの左右両側に取り付けられ水平位置から下方へ回動するファンユニットとからなる空気調和機において、ファンユニットの回動状態にかかわらず本体ユニットとファンユニットが一体感のある意匠を実現することである。
【課題を解決するための手段】
【０００６】
本発明は、横長の直方体形状で前面に前面パネルを備えた本体ユニットと、前記本体ユニットの左右両側の少なくとも一方に取り付けられ、前記左右両側に交差する仮想の回転軸回りで水平位置から下方へ回動可能なファンユニットを有する空気調和機であって、
前記ファンユニットは、側面に吸込口を備えるとともに前面に前記ファンユニットが水平位置にあるとき前記前面パネルと同一面上に位置する吹出口を備え、前記ファンユニットの前記吹出口の上端部は、前記ファンユニットが回動するとき前記回転軸と同心円の軌跡を描くことを特徴とする。
【０００７】
また、前記本体ユニットは、前記ファンユニットが水平位置にあるとき前記本体ユニットの前面と前記ファンユニットの前記吸込口の少なくとも一部を覆う吸込パネルを備えることも含まれる。
【発明の効果】
【０００８】
以上のように、本体ユニットと、本体ユニットの左右両側に取り付けられ水平位置から下方へ回動するファンユニットとからなる空気調和機において、ファンユニットが下方へ回動してもファンユニットの吹出口の上端部が本体ユニットから突出することながなく、本体ユニットとファンユニットが一体感のある意匠となるものである。
【図面の簡単な説明】
【０００９】
【図１】本発明の空気調和機の室内機の運転停止状態の外観図で、（Ａ）は斜視図で、（Ｂ）は正面図で、（Ｃ）は側面図である。
【図２】本発明の空気調和機の室内機の中央部の垂直断面図である。
【図３】本発明の空気調和機の室内機の一部を分解した図である。
【図４】本発明の空気調和機の室内機のファンユニットの垂直断面図である。
【図５】本発明の空気調和機の室内機の運転状態の外観図で、（Ａ）は斜視図で、（Ｂ）は正面図で、（Ｃ）は側面図である。
【図６】従来例の空気調和機の室内機の図で、（Ａ）は運転停止状態を示す図で、（Ｂ）は運転状態を示す図である。
【発明を実施するための形態】
【００１０】
以下、本発明の実施の形態を、添付図面に基づいた実施例として詳細に説明する。
【００１１】
本発明の空気調和機は屋外に設置される室外機（図示なし）と空調室Ｒの天井近くの壁面に取り付けられる室内機１とからなり、室外機と室内機１がガス管と液管（いずれも図示なし）で接続されて冷媒回路を形成する。図１は室内機１の外観図で、（Ａ）は斜視図で、（Ｂ）は正面図で、（Ｃ）は側面図である。また、図２は室内機１の中央部の垂直断面図であり、図３は室内機１の一部を分解した図である。室内機１は、図１乃至図３に示すように本体ユニット１０と、本体ユニット１０の左右両側に取り付けた１対のファンユニットである右ファンユニット４０と左ファンユニット４１とからなる。また、ファンユニットは右ファンユニット４０、左ファンユニット４１のどちらか一方だけ設けても良い。本体ユニット１０は空調室Ｒの室内空気を吸い込み冷媒と熱交換をして冷気または暖気にして空調室Ｒに吹き出し、右ファンユニット４０、左ファンユニット４１は室内空気を吸い込んで当該室内空気を空調室Ｒに吹き出す。
【００１２】
本体ユニット１０は横長の直方体形状であり、内部には本体と平行に横長のクロスフローファンタイプの第１送風ファン１１と第１送風ファン１１の周囲を囲む熱交換器１２を備える。第１送風ファン１１は本体ユニット１０の片側で図示しない第１ファンモータに軸支される。第１ファンモータと熱交換器１２は、ケーシング１３に支えられ、ケーシング１３は後述する吸込口１４と吹出口１５を結ぶ送風路１６を形成する。
【００１３】
本体ユニット１０の外郭は熱交換器１２の天面を覆うメインフレーム１７と、送風路１６の出口である吹出口１５に取り付けられ運転停止状態の時は吹出口１５を塞ぐ上風向板１８ａと下風向板１８ｂからなる風向板１８と、下風向板１８ｂよりも下方でケーシング１３を塞ぐ底板１９と、メインフレーム１７の前面を覆う前面パネル２０と、前面パネル２０の前面に着脱可能に取り付けられ表面がフラットな吸込パネル２１を備える。本体ユニット１０の左右側面には、右ファンユニット４０、左ファンユニット４１を収容する側面カバーである右側面カバー３０、左側面カバー３１を備える。
【００１４】
尚、図１において室内機１の吸込パネル２１のある面を前面とし、前面の対面を背面とし、図面上で右ファンユニット４０のある側を右側面とし、左ファンユニット４１のある側を左側面とし、図面上で底板１９のある面を底面とし、その対面を天面とし、図２において高さＨが示す底面から天面に向かう上下方向を高さとし、奥行きＤが示す前面から背面に向かう前後方向を奥行きとして以下説明する。
【００１５】
本体ユニット１０は高さＨよりも奥行きＤの寸法が長く、本体ユニット１０の右側面は背面側から前方の吸込パネル２１に向かい徐々に高さが細くなってゆく略台形形状をなす。前面パネル２０は、台形形状において前方が高くなるように傾斜する下面部２０ａと垂直面の前面部２０ｂを有し、下面部２０ａと前面部２０ｂが交わる部分が角部２０ｃとなる。
【００１６】
前面パネル２０の前面部２０ｂには、後述するファンユニット４０の補助吹出口４７の横並びにＬＥＤ発光で運転状態を知らせる表示部２４を備えるとともに中央に人検知センサーを内部に有するセンサー部２５を備える。
【００１７】
吸込パネル２１は前面パネル２０の表示部２４とセンサー部２５の上端までと、右ファンユニット４０、左ファンユニット４１の補助吹出口４７の少なくとも一部を覆う。これにより在室者は前面視で主に吸込パネル２１が視認されることで、フラットな意匠である印象を受け、インテリアに馴染むシンプルな意匠と認識する。
【００１８】
メインフレーム１７の天面１７ａには吸込口１４が設けられている。また前面パネル２０の内側で、メインフレーム１７と前面パネル２０と熱交換器１２との間にはフィルタ２２と、このフィルタ２２を自動で清掃するフィルタ清掃ユニット２３が設けられている。
【００１９】
本体ユニット１０は図示しない第１ファンモータにより第１送風ファン１１が回転することで吸込口１４から取り入れられた室内空気を、熱交換器１２で冷媒と熱交換して冷気または暖気にして送風路１６を通過して吹出口１５から上風向板１８ａと下風向板１８ｂで風向調整をして空調室Ｒに吹き出す。
【００２０】
側面カバーは本体ユニット１０の右側面となりファンユニット４０を収容する右側面カバー３０と、本体ユニット１０の左側面となりファンユニット４１を収容する左側面カバー３１がある。側面カバーは本体ユニット１０と一体で本体ユニット１０の側面の外郭を構成する部品でも良いし、別体の部品を本体ユニット１０に取り付けてもよい。尚、右側面カバー３０、左側面カバー３１は対称形であるため、ここでは右側面カバー３０について説明する。同様に右ファンユニット４０、左ファンユニット４１も対称形であるため、ここでは右ファンユニット４０について説明する。
【００２１】
右側面カバー３０は、前面パネル２０の側面部２０ｄと合わせ本体ユニット１０の右側面を形成する壁面部３２と、本体ユニット１０のメインフレーム１７の天面１７ａと同一面となるように形成された天面部３３と、風向板１８と底板１９と同一面となるように形成された底面部３４と、天面部３２と底面部３４を結んだ垂直面に設けられ後述する右ファンユニット４０の側面形状に合わせた切欠部３５ａを備えて本体ユニット２の外壁面となる外壁面部３５と、壁面部３２と外壁面部３５の内側を繋ぐ内壁面部３６とからなり、壁面部３２と内壁面部３６によりできる空間が右ファンユニット４０の収容部３７となる。
【００２２】
図４はファンユニットの垂直断面図である。図３と図４に示すように右ファンユニット４０は右側面カバー３０の壁面部３２に対して回動自在に支持される。ここでは右ファンユニット４０は壁面部３２に交差し、右ファンユニット４０を回動させるステッピングモータ（図示なし）の駆動軸線上に合わせた仮想の回転軸回りを上下方向に水平状態から下方へ回動可能となる。本実施例において右ファンユニット４０の仮想の回転軸は水平軸線４２とする。
【００２３】
右ファンユニット４０の外郭は、図１に示すように側面４０ａに吸込口（以下補助吸込口とする）４３を備える。補助吸込口４３は同じ形状の複数の丸孔を打ち抜いた板金（所謂パンチングメタル）を水平軸線４２に中心を合わせた円形状に加工されたものである。補助吸込口４３は補助吸込口４３と同心円の円形状に形成したファンケース４４に嵌め込まれる。ファンケース４４の前方は右ファンユニット４０が水平位置にあるとき前面パネル２０の前面部２０ｂおよび角部２０ｃと同一面上に位置する後述する吹出口（以下補助吹出口とする）４７を備え、底面は前面パネル２０の下面部２０ａと右側面カバー３０の底面部３４に合わせ、補助吹出口４７の上端部４７ａから背面側までが円弧状に形成される。ファンケース４４の横幅Ｗは、後述する第２送風ファン４８によって決まるが、右側面カバー３０の外壁面部３５と同一面かそれよりも内側になるように形成する。
【００２４】
ファンケース４４は前面パネル２０側を形成する第１ファンケース４５と、第１ファンケース４５に冠着するファンケース４４の空調室Ｒ側を形成する第２ファンケース４６を有する。第１ファンケース４５はファンユニット４０を回動するためのステッピングモータ（図示なし）を備える。
【００２５】
右ファンユニット４０は、内部に第２送風ファン４８を備える。第２送風ファン４８は所謂シロッコファンが用いられる。第２送風ファン４８と第１ファンケース４５の間に第２ファンモータ４９が収納され、第２ファンモータ４９の駆動軸４９ａにより第２送風ファン４８が回転する。
【００２６】
右ファンユニット４０は、第２送風ファン４８の周囲に送風路５０を備え、送風路５０の出口側に補助吹出口４７を有する。補助吹出口４７には風向板（以下補助風向板とする）５１を備える。補助風向板５１の上部には送風路５０の壁を挟んで補助風向板５１を駆動する補助風向板用モータ５２を備える。
【００２７】
右ファンユニット４０は右側面カバー３０の収容部３７に収まり、且つ水平線軸４２を中心に水平位置から下方へ回動自在となるように取り付けられる。図１において室内機１は運転停止状態となっており、この状態では右ファンユニット４０は、ファンケース４４の外形と右側面カバー３０の外壁面３５の切欠部３５ａが隙間なく接している。また補助吹出口４７は前方に向けられ、補助風向板５１で覆われている。補助吹出口４７の開口が在室者から視認されなくなることで美観の向上が図れる。
【００２８】
図５は室内機１の運転状態の外観図で、（Ａ）は斜視図で、（Ｂ）は正面図で、（Ｃ）は側面図である。室内機１が運転を開始すると、本体ユニット１０の風向板１８が可動して冷媒と熱交換した冷気または暖気を吹出口１５から空調室Ｒに向けて吹き出す。そして右ファンユニット４０、左ファンユニット４１は、ステッピングモータ（図示なし）により、水平軸線４２を中心として前方が下方へ向けて約２０度回転する。
【００２９】
右ファンユニット４０、左ファンユニット４１が回動すると、補助吹出口４７が下方へ移動する。補助吹出口４７の補助風向板５１が補助風向板用モータ５２により可動して補助吹出口４７が開口される。補助吹出口４７は補助吸込口４３から取り込んだ室内空気を吹き出す。補助風向板５１は補助吹出口４７から吹出される気流の向きを左右方向に偏向させることができる。
【００３０】
冷房運転の時は、本体ユニット１０は風向板１８を水平に向け、冷気を水平へ吹き出す。補助吹出口４７は、冷気の方向よりも下方に室内空気を吹き出し冷気を撹拌する。在室者には冷気が直接当たらず心地よい涼感を与えることができる。
【００３１】
暖房運転の時は、本体ユニット１０は風向板１８を下方に向け、暖気を下方へ吹き出す。補助吹出口４７は、暖気の方向よりも上方に室内空気を吹き出し暖気を押し下げることで床面に暖気が留まる。在室者には足元が温まり心地よい暖感を与えることができる。
【００３２】
右ファンユニット４０、左ファンユニット４１は水平位置から下方に約２０度までの範囲で回動する。最大に回動した場合は図５（Ｃ）に示すように補助吹出口４７の下端部４７ｂが若干本体ユニット１０のよりも下方に位置するが、補助吹出口４７の上端部４７ａは、右ファンユニット４０、左ファンユニット４１が回動するとき水平軸線４２と同心円の軌跡を描くことで、ファンケース４４が本体ユニット１０の前面より突出することはない。右ファンユニット４０、左ファンユニット４１が水平位置にある状態およびその状態から下方に回動した状態いずれにおいても、本体ユニット１０から右ファンユニット４０、左ファンユニット４１が突出することなく前面視でのシンプルな美観を保持することで、本体ユニット１０と右ファンユニット４０、左ファンユニット４１が一体感のある意匠となり、美観の向上を図れる。
【符号の説明】
【００３３】
１：空気調和機（室内機）、１０：本体ユニット、１８：風向板
２０：前面パネル、２０ｂ：前面部、２１：吸込パネル
３０：右側面カバー、３１：左側面カバー、３２：壁面部、３５：外壁面部、３５ａ：切欠部、３６：内壁面部、３７：収容部
４０：右ファンユニット、４１：左ファンユニット、４２：水平線軸、４３：補助吸込口、４４：ファンケース、４７：補助吹出口、４７ａ：上端部、５１：補助風向板
【図１】
2017026256.tif 000003
【図２】
2017026256.tif 000004
【図３】
2017026256.tif 000005
【図４】
2017026256.tif 000006
【図５】
2017026256.tif 000007
【図６】
2017026256.tif 000008